(57)【要約】      （修正有）【課題】放射性物質および塩化物を含む放射性汚染水から低コストかつ高レベルで塩化物を除去する処理装置を提供する。【解決手段】塩化物を含む放射性汚染水ＰＷ中に鉛化合物を添加して第一汚染水と塩化鉛の沈殿物に分離する鉛添加手段２と、鉛添加手段２から排出される第一汚染水中に銀化合物を添加して第二汚染水と塩化銀の沈殿物に分離する銀添加手段３と、を備える。【選択図】図２
2015175742.tif 000002
【特許請求の範囲】
【請求項１】
塩化物を含む放射性汚染水中に鉛化合物を添加して第一汚染水と塩化鉛の沈殿物に分離する鉛添加手段と、
前記鉛添加手段から排出される第一汚染水中に銀化合物を添加して第二汚染水と塩化銀の沈殿物に分離する銀添加手段と、
を備えることを特徴とする放射性汚染水処理装置。
【請求項２】
前記銀添加手段の後に、前記銀添加手段から排出される第二汚染水中に硫化水素を添加して第二汚染水から硫化鉛として分離する鉛除去手段を備えることを特徴とする請求項１に記載の放射性汚染水処理装置。
【請求項３】
前記鉛添加手段で分離された塩化鉛の沈殿物から鉛を回収する鉛回収手段を備えることを特徴とする請求項１または２に記載の放射性汚染水処理装置。
【請求項４】
前記銀添加手段で分離された塩化銀の沈殿物から銀を回収する銀回収手段を備えることを特徴とする請求項１〜３のいずれか一つに記載の放射性汚染水処理装置。
【請求項５】
前記鉛添加手段から排出される塩化鉛を容器内の外周部に貯留し、当該塩化鉛の内部に前記銀添加手段から排出される排出物を収容する保管手段を備えることを特徴とする請求項１〜４のいずれか一つに記載の放射性汚染水処理装置。
【請求項６】
前記鉛添加手段に導入される放射性汚染水または前記銀添加手段から排出される第二汚染水を濃縮する濃縮手段を備えることを特徴とする請求項１〜５のいずれか一つに記載の放射性汚染水処理装置。
【請求項７】
塩化物を含む放射性汚染水中に鉛化合物を添加して第一汚染水と塩化鉛の沈殿物に分離する鉛添加工程と、
前記鉛添加工程から排出される第一汚染水中に銀化合物を添加して第二汚染水と塩化銀の沈殿物に分離する銀添加工程と、
を含むことを特徴とする放射性汚染水処理方法。
【請求項８】
前記銀添加工程の後に、前記銀添加工程から排出される第二汚染水中に硫化水素を添加して第二汚染水から硫化鉛として分離する鉛除去工程を含むことを特徴とする請求項７に記載の放射性汚染水処理方法。
【請求項９】
前記鉛添加工程で分離された塩化鉛の沈殿物から鉛を回収する鉛回収工程を含むことを特徴とする請求項７または８に記載の放射性汚染水処理方法。
【請求項１０】
前記銀添加工程で分離された塩化銀の沈殿物から銀を回収する銀回収工程を含むことを特徴とする請求項７〜９のいずれか一つに記載の放射性汚染水処理方法。
【請求項１１】
前記鉛添加工程で分離された塩化鉛の沈殿物を容器内の外周部に貯留し、当該塩化鉛の沈殿物の内部に前記銀添加工程で分離された塩化銀の沈殿物を収容する保管工程を含むことを特徴とする請求項７〜１０のいずれか一つに記載の放射性汚染水処理方法。
【請求項１２】
前記鉛添加工程に導入される放射性汚染水または前記銀添加工程から排出される第二汚染水を濃縮する濃縮工程を含むことを特徴とする請求項７〜１１のいずれか一つに記載の放射性汚染水処理方法。
【発明の詳細な説明】
【技術分野】
【０００１】
本発明は、放射性汚染水から塩化物を除去するための処理装置および処理方法に関する。
【背景技術】
【０００２】
放射性物質を含む放射性汚染水は、貯蔵にあたり塩化物を除去することが好ましい。従来、例えば、特許文献１に記載の放射性廃液処理装置では、放射性廃液から塩素イオンを除去する脱塩素部として、硝酸銀や硫酸銀などを供給して反応させることで、塩化銀の沈殿を生成させて固相として除去することが示されている。
【先行技術文献】
【特許文献】
【０００３】
【特許文献１】特開２０１３−１４８３６５号公報
【発明の概要】
【発明が解決しようとする課題】
【０００４】
特許文献１に記載の放射性廃液処理装置のように、銀化合物を添加して塩化銀の沈殿を生成することで高レベルで塩化物を除去することが可能である。その反面、銀は高価であるためランニングコストが増大する問題がある。
【０００５】
本発明は上述した課題を解決するものであり、放射性物質および塩化物を含む放射性汚染水から低コストかつ高レベルで塩化物を除去することのできる放射性汚染水の処理装置および処理方法を提供することを目的とする。
【課題を解決するための手段】
【０００６】
上述の目的を達成するために、第１の発明の放射性汚染水処理装置は、塩化物を含む放射性汚染水中に鉛化合物を添加して第一汚染水と塩化鉛の沈殿物に分離する鉛添加手段と、前記鉛添加手段から排出される第一汚染水中に銀化合物を添加して第二汚染水と塩化銀の沈殿物に分離する銀添加手段と、を備えることを特徴とする。
【０００７】
この放射性汚染水処理装置によれば、鉛添加手段で塩化物を粗く除去した後、銀添加手段で塩化物を高レベルで除去することで、高価な銀の使用量を低減することができる。この結果、塩化物を含む放射性汚染水から低コストかつ高レベルで塩化物を除去することができる。
【０００８】
また、第２の発明の放射性汚染水処理装置は、第１の発明において、前記銀添加手段の後に、前記銀添加手段から排出される第二汚染水中に硫化水素を添加して第二汚染水から硫化鉛として分離する鉛除去手段を備えることを特徴とする。
【０００９】
この放射性汚染水処理装置によれば、第二汚染水から硫化鉛として分離することで、環境に考慮して二次廃棄物中への鉛の混入を抑制することができる。
【００１０】
また、第３の発明の放射性汚染水処理装置は、第１または第２の発明において、前記鉛添加手段で分離された塩化鉛の沈殿物から鉛を回収する鉛回収手段を備えることを特徴とする。
【００１１】
この放射性汚染水処理装置によれば、塩化鉛の沈殿物から鉛を回収することで、環境に考慮して二次廃棄物中への鉛の混入を抑制することができる。
【００１２】
また、第４の発明の放射性汚染水処理装置は、第１〜第３のいずれか一つの発明において、前記銀添加手段で分離された塩化銀の沈殿物から銀を回収する銀回収手段を備えることを特徴とする。
【００１３】
この放射性汚染水処理装置によれば、高価な銀を回収することで、銀を再利用することができる。
【００１４】
また、第５の発明の放射性汚染水処理装置は、第１〜第４のいずれか一つの発明において、前記鉛添加手段から排出される塩化鉛を容器内の外周部に貯留し、当該塩化鉛の内部に前記銀添加手段から排出される排出物を収容する保管手段を備えることを特徴とする。
【００１５】
この放射性汚染水処理装置によれば、放射線を遮蔽する鉛を容器内の外周部に貯留した内部に塩化銀の沈殿物を収容することで、保管にあたって放射性遮蔽機能を向上することができる。
【００１６】
また、第６の発明の放射性汚染水処理装置は、第１〜第５のいずれか一つの発明において、前記鉛添加手段に導入される放射性汚染水または前記銀添加手段から排出される第二汚染水を濃縮する濃縮手段を備えることを特徴とする。
【００１７】
この放射性汚染水処理装置によれば、放射性汚染水または第二汚染水を濃縮することで、汚染水量を低減でき、保管容積や保管場所を減少することができ、かつ後処理を容易化することができる。
【００１８】
また、第７の発明の放射性汚染水処理方法は、塩化物を含む放射性汚染水中に鉛化合物を添加して第一汚染水と塩化鉛の沈殿物に分離する鉛添加工程と、前記鉛添加工程から排出される第一汚染水中に銀化合物を添加して第二汚染水と塩化銀の沈殿物に分離する銀添加工程と、を含むことを特徴とする。
【００１９】
この放射性汚染水処理方法によれば、鉛添加工程で塩化物を粗く除去した後、銀添加工程で塩化物を高レベルで除去することで、高価な銀の使用量を低減することができる。この結果、塩化物を含む放射性汚染水から低コストかつ高レベルで塩化物を除去することができる。
【００２０】
また、第８の発明の放射性汚染水処理方法は、第７の発明において、前記銀添加工程の後に、前記銀添加工程から排出される第二汚染水中に硫化水素を添加して第二汚染水から硫化鉛として分離する鉛除去工程を含むことを特徴とする。
【００２１】
この放射性汚染水処理方法によれば、第二汚染水から硫化鉛として分離することで、環境に考慮して二次廃棄物中への鉛の混入を抑制することができる。
【００２２】
また、第９の発明の放射性汚染水処理方法は、第７または第８の発明において、前記鉛添加工程で分離された塩化鉛の沈殿物から鉛を回収する鉛回収工程を含むことを特徴とする。
【００２３】
この放射性汚染水処理方法によれば、塩化鉛の沈殿物から鉛を回収することで、環境に考慮して二次廃棄物中への鉛の混入を抑制することができる。
【００２４】
また、第１０の発明の放射性汚染水処理方法は、第７〜第９のいずれか一つの発明において、前記銀添加工程で分離された塩化銀の沈殿物から銀を回収する銀回収工程を含むことを特徴とする。
【００２５】
この放射性汚染水処理方法によれば、高価な銀を回収することで、銀を再利用することができる。
【００２６】
また、第１１の発明の放射性汚染水処理方法は、第７〜第１０のいずれか一つの発明において、前記鉛添加工程で分離された塩化鉛の沈殿物を容器内の外周部に貯留し、当該塩化鉛の沈殿物の内部に前記銀添加工程で分離された塩化銀の沈殿物を収容する保管工程を含むことを特徴とする。
【００２７】
この放射性汚染水処理方法によれば、放射線を遮蔽する鉛を容器内の外周部に貯留した内部に塩化銀の沈殿物を収容することで、保管にあたって放射性遮蔽機能を向上することができる。
【００２８】
また、第１２の発明の放射性汚染水処理方法は、第７〜第１１のいずれか一つの発明において、前記鉛添加工程に導入される放射性汚染水または前記銀添加工程から排出される第二汚染水を濃縮する濃縮工程を含むことを特徴とする。
【００２９】
この放射性汚染水処理方法によれば、放射性汚染水ＰＷまたは第二汚染水を濃縮することで、汚染水量を低減でき、保管容積や保管場所を減少することができ、かつ後処理を容易化することができる。
【発明の効果】
【００３０】
本発明によれば、放射性物質および塩化物を含む放射性汚染水から低コストかつ高レベルで塩化物を除去することができる。
【図面の簡単な説明】
【００３１】
【図１】図１は、本発明の実施形態に係る放射性汚染水処理装置の概略図である。
【図２】図２は、本発明の実施形態に係る放射性汚染水処理装置における塩化物除去処理装置の構成図である。
【図３】図３は、本発明の実施形態に係る放射性汚染水処理装置における濃縮処理装置の構成図である。
【図４】図４は、本発明の実施形態に係る放射性汚染水処理システムの構成図である。
【発明を実施するための形態】
【００３２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００３３】
図１は、本実施形態に係る放射性汚染水処理装置の概略図である。本実施形態の放射性汚染水処理装置は、放射性物質を含み、かつ塩化物を含む放射性汚染水を、貯蔵にあたり処理するためのものである。本実施形態では、主として、図１に示すように、塩化物除去処理装置１を有する。また、本実施形態では、図１に示すように、濃縮処理装置１０１を有する。これら、塩化物除去処理装置１と濃縮処理装置１０１とは、その処理順序は、いずれが先であってもよい。
【００３４】
まず、塩化物除去処理装置１について説明する。図２は、本実施形態に係る放射性汚染水処理装置における塩化物除去処理装置の構成図である。塩化物除去処理装置１は、放射性汚染水であって、具体的には濃縮処理装置１０１に導入される放射性汚染水ＰＷ、または濃縮処理装置１０１から排出される再濃縮汚染水ＰＷ２に含まれる塩化物を除去するものである。この塩化物除去処理装置１は、図中一点鎖線で区切られて示されている鉛添加手段２と銀添加手段３とを備えて構成されている。
【００３５】
鉛添加手段２は、塩化物を含む放射性汚染水ＰＷに鉛化合物を添加して放射性汚染水（第一汚染水）ＰＷと塩化鉛の沈殿物に分離するものである。
【００３６】
鉛添加手段２は、鉛添加部２１を有する。鉛添加部２１は、凝集沈殿槽２１ａおよび固液分離槽２１ｂで構成されている。
【００３７】
凝集沈殿槽２１ａは、塩化物（Ｃｌ−）を含む放射性汚染水ＰＷに、鉛化合物である水酸化鉛（Ｐｂ（ＯＨ）２）または硝酸鉛（Ｐｂ（ＮＯ３）２）を加えて塩化鉛（ＰｂＣｌ２）の沈殿物を生成するものである。凝集沈殿槽２１ａは、汚染水貯留部（図示せず）に貯留された放射性汚染水ＰＷがポンプ２２で配管内を圧送されて導入される。また、凝集沈殿槽２１ａは、鉛化合物貯留部（図示せず）に貯留された鉛化合物がポンプ２３で配管内を圧送されて導入される。
【００３８】
固液分離槽２１ｂは、凝集沈殿槽２１ａに連通され、塩化鉛の沈殿物と、放射性汚染水ＰＷとを分離するものである。分離された塩化鉛の沈殿物（ＰｂＣｌ２スラリー）は、脱水機２４に導入され、放射性汚染水ＰＷは銀添加手段３に導入される。
【００３９】
なお、塩化鉛の沈殿物と、放射性汚染水ＰＷとを分離するにあたり、凝集沈殿以外に、高速凝集沈殿や凝集膜ろ過などであってもよい。
【００４０】
脱水機２４は、塩化鉛の沈殿物を脱水処理するものである。脱水機２４は、遠心脱水、フィルタプレス、ベルトプレスなどの形態がある。脱水された塩化鉛の沈殿物は塩化鉛の固体（ＰｂＣｌ２ケーキ）として後述の鉛回収手段２６に導入される。また、脱水機２４から排出される脱水は放射性汚染水ＰＷと共に鉛添加部２１に導入される。
【００４１】
鉛回収手段２６は、塩化鉛の沈殿物から鉛を回収するものである。鉛回収手段２６は、塩化鉛の固体を溶解し、鉛とその他の残留物とに分離し鉛を回収する。一方、残留物は、排出物として鉛添加手段２から排出され、後述の保管手段５で保管される。なお、鉛回収手段２６を有さない場合、脱水機２４で脱水された塩化鉛の沈殿物は塩化鉛の固体（ＰｂＣｌ２ケーキ）の排出物として鉛添加手段２から排出され、後述の保管手段５で保管される。
【００４２】
また、銀添加手段３は、鉛添加手段２から排出される塩化物を含む放射性汚染水（第一汚染水）ＰＷに銀化合物を添加して放射性汚染水（第二汚染水）ＰＷと塩化銀の沈殿物に分離するものである。
【００４３】
銀添加手段３は、銀添加部３１を有する。銀添加部３１は、凝集沈殿槽３１ａおよび固液分離槽３１ｂで構成されている。
【００４４】
凝集沈殿槽３１ａは、塩化物（Ｃｌ−）を含む放射性汚染水（第一汚染水）ＰＷに、銀化合物である硝酸銀（ＡｇＮＯ３）または硫酸銀（Ａｇ２ＳＯ４）を加えて塩化銀（ＡｇＣｌ）の沈殿物を生成するものである。凝集沈殿槽３１ａは、鉛添加手段２から排出される放射性汚染水ＰＷがポンプ３２で配管内を圧送されて導入される。また、凝集沈殿槽３１ａは、銀化合物貯留部（図示せず）に貯留された銀化合物がポンプ３３で配管内を圧送されて導入される。
【００４５】
固液分離槽３１ｂは、凝集沈殿槽３１ａに連通され、塩化銀の沈殿物と、放射性汚染水ＰＷとを分離するものである。分離された塩化銀の沈殿物（ＡｇＣｌスラリー）は、脱水機３４に導入され、放射性汚染水（第二汚染水）ＰＷは鉛除去手段２５に導入される。
【００４６】
なお、塩化銀の沈殿物と、放射性汚染水ＰＷとを分離するにあたり、凝集沈殿以外に、高速凝集沈殿や凝集膜ろ過などであってもよい。
【００４７】
脱水機３４は、塩化銀の沈殿物を脱水処理するものである。脱水機３４は、遠心脱水、フィルタプレス、ベルトプレスなどの形態がある。脱水された塩化鉛の沈殿物は塩化銀の固体（ＡｇＣｌケーキ）として銀回収手段３５に導入される。また、脱水機３４から排出される脱水は放射性汚染水ＰＷと共に銀添加部３１に導入される。
【００４８】
銀回収手段３５は、塩化銀の沈殿物から銀を回収するものである。銀回収手段３５は、塩化銀の固体を溶解した後、電析により銀とその他の残留物とに分離し銀を回収する。一方、残留物は、排出物として銀添加手段３から排出され保管手段５で保管される。なお、銀回収手段３５を有さない場合、脱水機３４で脱水された塩化銀の沈殿物は塩化銀の固体（ＡｇＣｌケーキ）の排出物として銀添加手段３から排出され、保管手段５で保管される。
【００４９】
保管手段５は、鉛添加手段２において排出される塩化鉛の固体と、銀添加手段３から排出される排出物（残留物または塩化銀の固体）とを保管するものである。保管手段５では、塩化鉛の固体を容器内の外周部に貯留し、当該塩化鉛の固体の内部に排出物を収容する。
【００５０】
鉛除去手段２５は、先に鉛添加手段２で添加され、銀添加手段３から排出される放射性汚染水ＰＷ中に残存し得る鉛を除去するものである。鉛除去手段２５は、放射性汚染水ＰＷが導入される鉛除去槽に、硫化水素（Ｈ２Ｓ）を添加して硫化鉛（ＰｂＳ）の沈殿物を生成することで、鉛を除去する。硫化鉛（ＰｂＳ）は、鉛除去槽に設けたフィルタで除去される。そして、鉛を除去された放射性汚染水ＰＷは、後処理手段に導入される。なお、後処理手段とは、濃縮処理装置１０１や、塩化物が除去された放射性汚染水（第二汚染水）ＰＷを保管する保管処理手段（図示せず）などがある。
【００５１】
このように、塩化物除去処理装置１は、鉛添加手段２で塩化物を除去した後、銀添加手段３でさらに塩化物を除去する。つまり、塩化鉛より塩化銀のほうが溶解度が小さいため、鉛添加手段２で塩化物を粗く除去した後、銀添加手段３で塩化物を高レベルで除去する。具体的に、放射性汚染水ＰＷに塩化物が１００００ｍｇ／Ｌ含まれているとした場合、鉛添加手段２では１０００ｍｇ／Ｌまで塩化物を除去でき、銀添加手段３では、１０ｍｇ／Ｌまで塩化物を除去できる。すなわち、銀添加手段３のほうが塩化物の除去性能が高い。しかし、銀添加手段３だけで１００００ｍｇ／Ｌから１０ｍｇ／Ｌまで塩化物を除去するには、１Ｌあたり３０ｇの銀を要する。一方、鉛添加手段２で塩化物を粗く除去しておけば（１００００ｍｇ／Ｌから１０００ｍｇ／Ｌまで塩化物を除去するのに１Ｌあたり５３ｇの鉛を要する）、その後に銀添加手段３で塩化物を高レベルで除去するのに１Ｌあたり３ｇの銀しか要さない。
【００５２】
次に、濃縮処理装置１０１について説明する。図３は、本実施形態に係る放射性汚染水処理装置における濃縮処理装置の構成図である。
【００５３】
濃縮処理装置１０１は、図３に示すように、主構成として加熱器１０２と、蒸発器１０３と、圧縮機１０４と、を備える。
【００５４】
加熱器１０２は、放射性汚染水ＰＷを加熱し、放射性汚染水を含む濃縮汚染水ＰＷ１と排水ＤＷとに分離するものである。放射性汚染水ＰＷは、貯留部（図示せず）に貯留され、汚染水ポンプ１０５で配管内を圧送されて加熱器１０２に導入される。加熱器１０２は、加熱容器内に過熱蒸気ＯＳおよび放射性汚染水ＰＷが導入され、過熱蒸気ＯＳで放射性汚染水ＰＷを加熱することで、放射性汚染水ＰＷを濃縮汚染水ＰＷ１と排水ＤＷとに分離する。濃縮汚染水ＰＷ１は、蒸発器１０３に導入され、排水ＤＷは、排水ポンプ１０６で配管内を圧送されて後述の排水側予熱器１０７に導入される。
【００５５】
蒸発器１０３は、濃縮汚染水ＰＷ１を減圧して濃縮しつつフラッシュ蒸気ＦＳを抽出するものである。抽出されたフラッシュ蒸気ＦＳは、圧縮機１０４に導入され、濃縮汚染水ＰＷ１が濃縮された再濃縮汚染水ＰＷ２は、後述の再濃縮汚染水側予熱器１０８に導入される。
【００５６】
圧縮機１０４は、蒸発器１０３により抽出されたフラッシュ蒸気ＦＳを圧縮し加熱器１０２に導入する過熱蒸気ＯＳを生成するものである。すなわち、本実施形態において、加熱器１０２は、圧縮機１０４で圧縮された過熱蒸気ＯＳによって放射性汚染水ＰＷを加熱する。
【００５７】
従って、この濃縮処理装置１０１によれば、圧縮機１０４において、蒸発器１０３により抽出されたフラッシュ蒸気ＦＳを圧縮し加熱器１０２に導入する過熱蒸気ＯＳを生成するため、ボイラを用いたり、ヒータを用いたりすることなく、過熱蒸気ＯＳが得られる。この結果、装置構成が簡素化され、かつ加熱にかかる燃料消費を低減できるため、放射性物質を含む放射性汚染水を低コストで濃縮することができる。
【００５８】
また、加熱器１０２で分離された排水ＤＷが導入される排水側予熱器１０７は、加熱器１０２に導入される以前の放射性汚染水ＰＷが導入される。この排水側予熱器１０７は、加熱器１０２から排出される排水ＤＷと加熱器１０２に導入される以前の放射性汚染水ＰＷとを非接触で熱交換させることで放射性汚染水ＰＷを予熱する。排水側予熱器１０７で予熱に用いられた排水ＤＷは、濃縮処理装置１０１外に排出される。
【００５９】
従って、この濃縮処理装置１０１によれば、排水側予熱器１０７により放射性汚染水ＰＷを予熱することで、加熱器１０２における放射性汚染水ＰＷの過熱効率を向上することができる。
【００６０】
また、蒸発器１０３で再濃縮された再濃縮汚染水ＰＷ２が導入される再濃縮汚染水側予熱器１０８は、加熱器１０２に導入される以前の放射性汚染水ＰＷが導入される。この再濃縮汚染水側予熱器１０８は、蒸発器１０３から排出される再濃縮汚染水ＰＷ２と加熱器１０２に導入される以前の放射性汚染水ＰＷとを非接触で熱交換させることで放射性汚染水ＰＷを予熱する。再濃縮汚染水側予熱器１０８で予熱に用いられた再濃縮汚染水ＰＷ２は、濃縮処理装置１０１外に排出される。
【００６１】
従って、この濃縮処理装置１０１によれば、再濃縮汚染水側予熱器１０８により放射性汚染水ＰＷを予熱することで、加熱器１０２における放射性汚染水ＰＷの過熱効率を向上することができる。
【００６２】
これら、排水側予熱器１０７と再濃縮汚染水側予熱器１０８とは、放射性汚染水ＰＷが汚染水ポンプ１０５で圧送されて加熱器１０２に導入される配管の途中に並列して設けられ、双方で放射性汚染水ＰＷを予熱する。
【００６３】
また、加熱器１０２から排出される排水ＤＷが排水ポンプ１０６で圧送される配管の途中に、フィルタ１０９が設けられている。本実施形態では、フィルタ１０９は、配管において排水ポンプ１０６と排水側予熱器１０７との間に設けられている。このフィルタ１０９は、活性炭などにより排水ＤＷに含まれる可能性がある放射性ヨウ素を除去する。
【００６４】
従って、この濃縮処理装置１０１によれば、排水ＤＷから放射性ヨウ素を除去することで、排水ＤＷの取り扱いを安全に行うことができる。
【００６５】
なお、加熱器１０２において、過熱蒸気ＯＳにより放射性汚染水ＰＷを加熱する際、濃縮汚染水ＰＷ１および排水ＤＷ以外に水蒸気Ｓが排出される。この水蒸気Ｓは、凝縮器１１０で冷却され、冷却された冷却水は加熱器１０２より排出された排水ＤＷに導入され、残ったオフガスＧは濃縮処理装置１０１外に排出される。
【００６６】
従って、この濃縮処理装置１０１によれば、加熱器１０２において排出される水蒸気Ｓを凝縮させて排水ＤＷに導入することで、水蒸気Ｓに放射性物質が含まれている場合に、安全に処理することができる。
【００６７】
ところで、図４は、本実施形態に係る放射性汚染水処理システムの構成図である。放射性汚染水処理システムは、図３に示す濃縮処理装置１０１が、図４に示すように、汚染水処理モジュール１５１や排水処理モジュール１５２としてモジュール化され複合されることで構成されている。
【００６８】
汚染水処理モジュール１５１は、当該汚染水処理モジュール１５１を構成する濃縮処理装置１０１から排出される再濃縮汚染水ＰＷ２を処理する汚染水処理系統として複合されている。汚染水処理モジュール１５１は、複数（本実施形態では２つ）が順次連続して配置され、前段の汚染水処理モジュール１５１から排出される再濃縮汚染水ＰＷ２−１を、後段の汚染水処理モジュール１５１に放射性汚染水ＰＷとして導入する。すなわち、本実施形態に係る放射性汚染水処理システムでは、複数の汚染水処理モジュール１５１により、前段の汚染水処理モジュール１５１で放射性汚染水ＰＷを濃縮処理し、この濃縮された放射性汚染水ＰＷを後段の汚染水処理モジュール１５１でさらに濃縮処理する。
【００６９】
従って、この放射性汚染水処理システムによれば、放射性汚染水ＰＷを複数段階で濃縮することで、汚染水量をより低減でき、保管容積や保管場所を減少することができ、かつ後処理を容易化することができる。
【００７０】
また、汚染水処理系統において、放射性汚染水ＰＷに塩化物が含まれる場合は、初段の汚染水処理モジュール１５１と次段の汚染水処理モジュール１５１との間に、上述した塩化物除去処理装置（塩化物除去手段）１が配置される。つまり、塩化物除去処理装置１は、初段の汚染水処理モジュール１５１から排出される再濃縮汚染水ＰＷ２−１に含まれる塩化物を除去する。
【００７１】
従って、この放射性汚染水処理システムによれば、初段の汚染水処理モジュール１５１から排出される再濃縮汚染水ＰＷ２−１に含まれる塩化物を除去することで、次段の汚染水処理モジュール１５１における汚染水の濃縮度を向上し、保管容積や保管場所を減少することができる。
【００７２】
また、汚染水処理系統において、固体化モジュール１５３が配置されている。固体化モジュール１５３は、終段の汚染水処理モジュール１５１から排出される再濃縮汚染水ＰＷ２−２を乾燥させることで汚染物を固体化させて固体物ＰＳを得るものである。
【００７３】
従って、この放射性汚染水処理システムによれば、汚染物を固体化させることで、保管時の管理を容易化して安全性を向上することができる。
【００７４】
排水処理モジュール１５２は、当該排水処理モジュール１５２を構成する濃縮処理装置１０１から排出される排水ＤＷを処理する排水処理系統として複合されている。排水処理モジュール１５２は、複数（本実施形態では３つ）が順次連続して配置され、前段の排水処理モジュール１５２から排出される排水ＤＷ−１，ＤＷ−２を、後段の排水処理モジュール１５２に放射性汚染水ＰＷとして導入する。すなわち、本実施形態に係る放射性汚染水処理システムでは、複数の排水処理モジュール１５２により、前段の排水処理モジュール１５２で放射性汚染水ＰＷを蒸留処理し、この蒸留により排出される排水ＤＷ−１，ＤＷ−２を後段の排水処理モジュール１５２でさらに蒸留処理する。
【００７５】
従って、この放射性汚染水処理システムによれば、排水ＤＷを再蒸留することで、排水ＤＷの放射線量および保管量を減少することができる。
【００７６】
また、排水処理系統において、後段の排水処理モジュール１５２から排出される再濃縮汚染水ＰＷ２−３，ＰＷ２−４を、前段の排水処理モジュール１５２に導入される同等の放射線濃度の放射性汚染水ＰＷ、排水ＤＷ−１と共に導入する。すなわち、後段の排水処理モジュール１５２から排出される再濃縮汚染水ＰＷ２−３，ＰＷ２−４を、前段の排水処理モジュール１５２に戻して蒸留処理する。
【００７７】
従って、この放射性汚染水処理システムによれば、低濃度の汚染水を再蒸留することで、汚染水の放射線量および保管量を減少することができる。
【００７８】
また、排水処理系統において、汚染水処理系統の後段の汚染水処理モジュール１５１から排出される排水ＤＷ−４を、前段となる排水処理モジュール１５２に導入される同等の放射線濃度の放射性汚染水ＰＷと共に導入する。すなわち、汚染水処理モジュール１５１から排出される排水ＤＷ−４を、前段の排水処理モジュール１５２に導入して蒸留処理する。なお、後段の排水処理モジュール１５２から排出される排水ＤＷ−３は有害物質を含まないことを確認し放水する。
【００７９】
従って、この放射性汚染水処理システムによれば、低濃度の排水を再蒸留することで、排水の放射線量および保管量を減少することができる。
【００８０】
また、排水処理系統において、汚染水処理系統が固体化モジュール１５３を備える場合、当該固体化モジュール１５３から排出される排水ＤＷ−５を、排水処理モジュール１５２に導入される同等の放射線濃度の放射性汚染水（排水ＤＷ−１）として導入する。すなわち、固体化モジュール１５３から排出される排水ＤＷ−５を、排水処理モジュール１５２に導入して蒸留処理する。
【００８１】
従って、この放射性汚染水処理システムによれば、排水を再蒸留することで、固体化モジュール１５３から排出される排水の放射線量および保管量を減少することができる。
【００８２】
以上説明したように、本実施形態の放射性汚染水処理装置は、塩化物を含む放射性汚染水ＰＷ中に鉛化合物を添加して第一汚染水と塩化鉛の沈殿物に分離する鉛添加手段２と、鉛添加手段２から排出される第一汚染水中に銀化合物を添加して第二汚染水と塩化銀の沈殿物に分離する銀添加手段３と、を備える。
【００８３】
また、本実施形態の放射性汚染水処理方法は、塩化物を含む放射性汚染水ＰＷ中に鉛化合物を添加して第一汚染水と塩化鉛の沈殿物に分離する鉛添加工程と、鉛添加工程から排出される第一汚染水中に銀化合物を添加して第二汚染水と塩化銀の沈殿物に分離する銀添加工程と、を含む。
【００８４】
この放射性汚染水処理装置および放射性汚染水処理方法によれば、鉛添加手段２（鉛添加工程）で塩化物を粗く除去した後、銀添加手段３（銀添加工程）で塩化物を高レベルで除去することで、高価な銀の使用量を低減することができる。この結果、塩化物を含む放射性汚染水ＰＷから低コストかつ高レベルで塩化物を除去することができる。
【００８５】
本実施形態の放射性汚染水処理装置は、銀添加手段３の後に、銀添加手段３から排出される第二汚染水中に硫化水素を添加して第二汚染水から硫化鉛として分離する鉛除去手段２５を備える。
【００８６】
また、本実施形態の放射性汚染水処理方法は、銀添加工程の後に、銀添加工程から排出される第二汚染水中に硫化水素を添加して第二汚染水から硫化鉛として分離する鉛除去工程を含む。
【００８７】
この放射性汚染水処理装置および放射性汚染水処理方法によれば、第二汚染水から硫化鉛として分離することで、環境に考慮して二次廃棄物中への鉛の混入を抑制することができる。
【００８８】
本実施形態の放射性汚染水処理装置は、鉛添加手段２で分離された塩化鉛の沈殿物から鉛を回収する鉛回収手段２６を備える。
【００８９】
また、本実施形態の放射性汚染水処理方法は、鉛添加工程で分離された塩化鉛の沈殿物から鉛を回収する鉛回収工程を含む。
【００９０】
この放射性汚染水処理装置および放射性汚染水処理方法によれば、塩化鉛の沈殿物から鉛を回収することで、環境に考慮して二次廃棄物中への鉛の混入を抑制することができる。
【００９１】
本実施形態の放射性汚染水処理装置は、銀添加手段３で分離された塩化銀の沈殿物から銀を回収する銀回収手段３５を備える。
【００９２】
また、本実施形態の放射性汚染水処理方法は、銀添加工程で分離された塩化銀の沈殿物から銀を回収する銀回収工程を含む。
【００９３】
この放射性汚染水処理装置および放射性汚染水処理方法によれば、高価な銀を回収することで、銀を再利用することができる。
【００９４】
本実施形態の放射性汚染水処理装置は、鉛添加手段２から排出される塩化鉛を容器内の外周部に貯留し、当該塩化鉛の内部に銀添加手段３から排出される排出物を収容する保管手段５を備える。
【００９５】
また、本実施形態の放射性汚染水処理方法は、鉛添加工程で分離された塩化鉛の沈殿物を容器内の外周部に貯留し、当該塩化鉛の沈殿物の内部に銀添加工程で分離された塩化銀の沈殿物を収容する保管工程を含む。
【００９６】
この放射性汚染水処理装置および放射性汚染水処理方法によれば、放射線を遮蔽する鉛を容器内の外周部に貯留した内部に塩化銀の沈殿物を収容することで、保管にあたって放射性遮蔽機能を向上することができる。
【００９７】
本実施形態の放射性汚染水処理装置は、鉛添加手段２に導入される放射性汚染水ＰＷまたは銀添加手段３から排出される第二汚染水を濃縮する濃縮処理手段（濃縮手段）１０１を備える。
【００９８】
また、本実施形態の放射性汚染水処理方法は、鉛添加工程に導入される放射性汚染水または銀添加工程から排出される第二汚染水を濃縮する濃縮工程を含む。
【００９９】
この放射性汚染水処理装置および放射性汚染水処理方法によれば、放射性汚染水ＰＷまたは第二汚染水を濃縮することで、汚染水量を低減でき、保管容積や保管場所を減少することができ、かつ後処理を容易化することができる。
【符号の説明】
【０１００】
１  塩化物除去処理装置
２  鉛添加手段
３  銀添加手段
５  保管手段
２１  鉛添加部
２１ａ  凝集沈殿槽
２１ｂ  固液分離槽
２２  ポンプ
２３  ポンプ
２４  脱水機
２５  鉛除去手段
２６  鉛回収手段
３１  銀添加部
３１ａ  凝集沈殿槽
３１ｂ  固液分離槽
３２  ポンプ
３３  ポンプ
３４  脱水機
３５  銀回収手段
１０１  濃縮処理装置
【図１】
2015175742.tif 000003
【図２】
2015175742.tif 000004
【図３】
2015175742.tif 000005
【図４】
2015175742.tif 000006